(57)【要約】【課題】多様なタンク形状においても駆動ユニットの設置自由度を向上させ、且つ排水弁の操作性能を向上させた洗浄水タンク装置、及び、それを備えた水洗大便器を提供する。【解決手段】排水流路を開閉する排水弁装置と、排水弁装置に設けられ、洗浄水タンクに貯水される洗浄水が満水水位を超えた場合に、上縁に形成された開口から洗浄水を排水流路に排出するオーバーフロー管と、排水弁装置を駆動して排水流路の開閉動作を行う駆動ユニットと、を備え、駆動ユニットは固定部材によってオーバーフロー管の開口よりも上方に位置するようにオーバーフロー管に固定され、固定部材は洗浄水タンクの内壁と接触する支持部を有する。【選択図】図２
2019151965.tif 000002
【特許請求の範囲】
【請求項１】
洗浄水を貯水する洗浄水タンクを有する洗浄水タンク装置であって、
便器を洗浄するための洗浄水を水源から前記洗浄水タンク内に給水する給水装置と、
前記洗浄水タンクの底面に設けられ、前記便器と連通する排水流路を開閉する排水弁装置と、
前記排水弁装置に設けられ、前記洗浄水タンクに貯水される洗浄水が満水水位を超えた場合に、上縁に形成された開口から洗浄水を前記排水流路に排出するオーバーフロー管と、
前記排水弁装置を駆動して前記排水流路の開閉動作を行う駆動ユニットと、
を備え、
前記駆動ユニットは固定部材によって前記オーバーフロー管の開口よりも上方に位置するように前記オーバーフロー管に固定され、前記固定部材は前記洗浄水タンクの内壁と接触する支持部を有することを特徴とする洗浄水タンク装置。
【請求項２】
前記支持部は固定部材から下方に延在し、前記洗浄水タンクの底面と接触して前記駆動ユニットを支持することを特徴とする請求項１に記載の洗浄水タンク装置。
【請求項３】
前記駆動ユニットは、操作部と電動駆動部とを有し、前記操作部は前記オーバーフロー管の開口の上方に位置し、前記支持部は前記電動駆動部の下方に位置することを特徴とする請求項２に記載の洗浄水タンク装置。
【請求項４】
前記支持部は、上下方向に長さが調節可能であることを特徴とする請求項３に記載の洗浄水タンク装置。
【請求項５】
前記固定部材は、前記オーバーフロー管の上端と当接し、前記開口の周縁を覆うキャップ部を有していることを特徴とする請求項１乃至４の何れか１項に記載の洗浄水タンク装置。
【請求項６】
前記給水装置は、洗浄水を前記オーバーフロー管に供給する補給水供給手段を有し、前記キャップ部は、前記補給水供給手段を前記オーバーフロー管の内部に誘導する補給水誘導部が設けられていることを特徴とする請求項５に記載の洗浄水タンク装置。
【発明の詳細な説明】
【技術分野】
【０００１】
本発明は、便器に載置される洗浄水タンク装置、及び、それを備えた水洗大便器に関する。
【背景技術】
【０００２】
従来から洗浄水により水洗大便器を洗浄して汚物を排出する洗浄水タンク装置として、例えば、モータを内部に有する駆動ユニット（自動操作用回転軸ユニット）によって洗浄水タンクに設けられた排水弁の開閉を行うものが知られている（特許文献１）。特許文献１では、洗浄水タンクの側壁面に開口を形成し、その開口に駆動ユニットを固定している。
【０００３】
近年では、特にローシルエットな洗浄水タンクが好まれており、多様な形状を有するタンクが知られている。このような多様な形状のタンクでは、洗浄水タンクの満水水位（オーバーフロー管の上端の高さ）がそれぞれ異なるため、駆動ユニットが水没しないように最適化する必要がある。すなわち、製品ごとに洗浄水タンクの最適な配置や、最適な駆動ユニットを設ける必要があった。
【０００４】
これに対して、特許文献２では、自動洗浄を行う駆動ユニットを洗浄水タンクの外に配置し、チューブやワイヤを洗浄水タンクの上方に形成された切り欠きを介して排水弁と接続した水洗大便器装置が開示されている。このような水洗大便器装置においては、タンク形状によって駆動ユニットの配置上の問題が生じることはないため、多様なタンク形状に駆動ユニットを適用することができる。
【先行技術文献】
【特許文献】
【０００５】
【特許文献１】特開２０１０−００１６４０号公報
【特許文献２】特開２０１６−０５６５５４号公報
【発明の概要】
【発明が解決しようとする課題】
【０００６】
しかしながら、駆動ユニットを洗浄水タンクの外部に配置した場合には、駆動ユニットを貯水タンクの内部に配置した場合に比べて排水弁と駆動ユニットとの間の経路長さも長くなるため、その分、チューブ及びワイヤの長さも長く構成されることとなる。
【０００７】
したがって、排水弁と駆動ユニットとの間の経路長さやチューブ及びワイヤの長さが長くなるほど、これらの長さの公差やばらつきや、チューブとワイヤとの間の摺動抵抗等が、排水弁の操作量に大きく影響することとなり、排水弁の操作量がばらつき、排水弁の開閉動作に不具合が生じ、適切に動作を行うことが難しくなる。
【０００８】
また、排水弁と駆動ユニットとの間の経路長さやチューブ及びワイヤの長さが長くなるため、排水弁の開閉に要する力が増加し、モータの出力を上げる必要がある。これにより、駆動ユニット自体の肥大化やコストが増加してしまうという問題がある。
【０００９】
そこで、本発明は、上述した課題を解決するためになされたものであり、多様なタンク形状においても駆動ユニットの設置自由度を向上させ、且つ排水弁の操作性能を向上させた洗浄水タンク装置、及び、それを備えた水洗大便器を提供することを目的とする。
【課題を解決するための手段】
【００１０】
上記目的を達成するために、本発明の一様態に係る洗浄水タンク装置によれば、洗浄水を貯水する洗浄水タンクを有する洗浄水タンク装置であって、便器を洗浄するための洗浄水を水源から洗浄水タンク内に給水する給水装置と、洗浄水タンクの底面に設けられ、便器と連通する排水流路を開閉する排水弁装置と、排水弁装置に設けられ、洗浄水タンクに貯水される洗浄水が満水水位を超えた場合に、上縁に形成された開口から洗浄水を排水流路に排出するオーバーフロー管と、排水弁装置を駆動して排水流路の開閉動作を行う駆動ユニットと、を備え、駆動ユニットは固定部材によってオーバーフロー管の開口よりも上方に位置するようにオーバーフロー管に固定され、固定部材は洗浄水タンクの内壁と接触する支持部を有する。
【００１１】
このように構成された本発明においては、オーバーフロー管よりも上方に位置するように駆動ユニットがオーバーフロー管に設けられているため、どのようなタンク形状であっても、満水水位よりも上方に駆動ユニットが位置し、駆動ユニットが洗浄水と接触することはない。また、駆動ユニットが排水弁装置のオーバーフロー管に設けられるため、駆動ユニットと排水弁装置とを近接させることができる。このため、排水弁装置を効率的に開閉させることが可能となる。
【００１２】
ここで、駆動ユニットは上下方向に延在するオーバーフロー管に設けられるため、駆動ユニットの重量を受けて、オーバーフロー管と共に排水弁装置が回動してしまい、排水弁装置のシール性能に影響を及ぼす可能性がある。しかしながら、本発明によれば、固定部材には洗浄水タンクの内壁面と接触して駆動ユニットを支持する支持部が設けられているため、オーバーフロー管と支持部によって確実に駆動ユニットをオーバーフロー管の上方で支持することが可能となる。
【００１３】
また本発明の一態様においては、支持部は固定部材から下方に延在し、洗浄水タンクの底面と接触して駆動ユニットを支持する。
【００１４】
このように構成された本発明においては、支持部が洗浄水タンクの底面と接触しているため、駆動ユニットの重量がかかる下方向において、洗浄水タンクの底面によって確実に支持することができる。
【００１５】
また本発明の一様態においては、駆動ユニットは、操作部と電動駆動部とを有し、操作部はオーバーフロー管の開口の上方に位置し、支持部は電動駆動部の下方に位置する。
【００１６】
このように構成された本発明においては、駆動ユニットは排水弁を操作する操作部と、モータ等を有する電動駆動部とを有し、操作部がオーバーフロー管の開口の上方に位置するため、排水弁装置との長さ距離を小さくすることが可能となり、排水弁装置の操作性を向上させることができる。さらに、駆動ユニットにおいて、重量が大きくなるモータ部の下方には支持部があるため、確実に下方から指示することが可能であり、排水弁の性能に影響を与えることを抑制することができる。
【００１７】
ここで、「オーバーフロー管の開口の上方に位置し」とは開口の直上に位置する様子を示し、「電動駆動部の下方に位置する」とは、電動駆動部の直下に位置する様子を示すものである。
【００１８】
また本発明の一態様においては、支持部は、上下方向に長さが調節可能である。
【００１９】
このように構成された本発明においては、支持部が上下方向に長さ調節が可能であるため、どのようなタンク形状であっても、長さを調整することで支持部と洗浄水タンク底面とを接触させることが可能であり、確実に下方から駆動ユニットを支持することが可能である。
【００２０】
また本発明の一態様においては、固定部材は、オーバーフロー管の上端と当接し、開口の周縁を覆うキャップ部を有している。
【００２１】
このように構成された本発明においては、キャップ部がオーバーフロー管の開口を形成する上端、及びオーバーフロー管の開口周縁を覆うように設けられているため、２つの当接面によって、特別な固定具を必要とせず、確実にオーバーフロー管に固定部材を固定させることができる。
【００２２】
また本発明の一態様においては、給水装置は、洗浄水をオーバーフロー管に供給する補給水供給手段を有し、キャップ部は、補給水供給手段をオーバーフロー管の内部に誘導する補給水誘導部が設けられている。
【００２３】
このように構成された本発明においては、オーバーフロー管の開口近傍がキャップ部によって覆われているため、補給水供給手段からの洗浄水をオーバーフロー管の内部に供給しにくくなる。しかし、キャップ部には補給水供給手段をオーバーフロー管の内部に誘導する補給水誘導手段が設けられているため、キャップ部による支持を行いながら補給動作も行うことができる。
【発明の効果】
【００２４】
本発明によれば、多様なタンク形状においても駆動ユニットの設置自由度を向上させ、且つ排水弁の操作性能を向上させた洗浄水タンク装置、及び、それを備えた水洗大便器を提供することを目的とする。
【図面の簡単な説明】
【００２５】
【図１】本発明の一実施形態における洗浄水タンク装置を備えた水洗大便器を示す斜視図である。
【図２】本発明の一実施形態における洗浄水タンク装置のＩＩ−ＩＩ断面を示す正面断面図である。
【図３】本発明の一実施形態における駆動ユニットを示す部分斜視図である。
【図４】本発明の一実施形態における排水弁装置に固定された駆動ユニットを示す部分拡大正面図である
【図５】本発明の一実施形態における排水弁装置に固定された駆動ユニットを示す部分拡大側面図である。
【発明を実施するための形態】
【００２６】
以下では、本明細書に開示する発明の実施の形態について図面を用いて詳細に説明する。以下の説明から、当業者にとって、本発明の多くの改良や他の実施の形態が明らかである。従って、以下の説明は、例示としてのみ解釈されるべきであり、本発明を実行する最良の態様を当業者に教示する目的で提供されたものである。本発明の精神を逸脱することなく、その構造及び／又は機能の詳細を実質的に変更することができる。
【００２７】
まず、図１及び図２に示すように、本発明の一実施形態による排水弁装置２８が適用される洗浄水タンク装置４を備えた水洗大便器１は、汚物を受ける便器本体２と、この便器本体２の後方の上方に設けられた直方体状の洗浄水タンク装置４とを備えている。洗浄水タンク装置４は、便器を洗浄するための洗浄水を貯える貯水タンク６を備えている。さらに、貯水タンク６の上方には、開口部分をほぼ全体的に覆うように、着脱自在に固定されている蓋８が設けられている。また、この貯水タンク６の底部には、上下方向に貫く排水口１０が設けられている。なお、本発明の一実施形態は、洗浄水タンク装置４と便器本体２とが別々に形成された水洗大便器であってもよく、また、洗浄水タンク装置４と便器本体２とが一体的に形成された水洗大便器であってもよい。
【００２８】
さらに、図１に示すように、水洗大便器１の便器本体２は、その前方側に設けられたボウル部１２と、このボウル部１２の上縁に形成されたリム部１４とを備えている。
また、便器本体２のボウル部１２の底部には、排水トラップ管路１６の入口１６ａが開口し、この入口１６ａから後方の排水トラップ管路１６は排水ソケット（図示せず）等を介して床下の排出管（図示せず）に接続されている。
本実施形態による水洗大便器１は、サイホン作用を利用してボウル部１２内の汚物を吸い込んで排水トラップ管路１６から一気に外部に排出する、いわゆる、サイホン式の水洗大便器であってもよく、他に、水洗大便器１としては、サイホン式の水洗大便器に限定されず、ボウル部内の水の落差による流水作用で汚物を押し流す、いわゆる、洗い落し式の水洗大便器等の他のタイプの水洗便器にも適用可能である。
【００２９】
つぎに、便器本体２は、貯水タンク６の排水口１０から排出される洗浄水が流入する導水路２０と、リム部１４の前方から見て左側中央近傍に形成された第１リム吐水口２２と、リム部１４の前方から見て右側後方に形成された第２リム吐水口２４（図１参照）とを備えている。
また、導水路２０は、便器本体２の後方の中央から前方側に向かって延びた後、分岐されて第１リム吐水口２２又は第２リム吐水口２４まで延びる流路を形成している。貯水タンク６の排水口１０から排出された洗浄水は、導水路２０において便器本体２の後方の中央から前方側に向かって流れた後、分岐されて、第１リム吐水口２２又は第２リム吐水口２４に到達する。第１リム吐水口２２及び第２リム吐水口２４のそれぞれから吐水された洗浄水は、ボウル部１２を洗浄し、汚物を排水トラップ管路１６から排出するようになっている。
【００３０】
つぎに、図２により、本発明の一実施形態による洗浄水タンク装置４の内部構造について説明する。
図２に示すように、洗浄水タンク装置４は、貯水タンク６内に洗浄水を供給する給水装置２６と、貯水タンク６に貯えられた洗浄水について排水口１０を開放して便器本体２の導水路２０に流出させる排水弁装置２８と、を備えている。
【００３１】
貯水タンク６には、排水弁装置２８を駆動してケーシング４１の内部に配置された排水弁体４０の開閉動作を自動的に行う自動洗浄用の駆動ユニット４２と、貯水タンク６の側部に設けられ、排水弁装置２８の排水弁体４０の開閉動作を手動により操作可能な手動操作ユニット３８とにより構成されている。
【００３２】
手動操作ユニット３８は、駆動ユニット４２とは別体で設けられている。そして、手動操作ユニット３８は、使用者が操作可能なように貯水タンク部６の外側に配置される手動用操作レバー４６と、手動用操作レバーと連動する回転機構ユニット４８と、から構成され、さらに手動操作用の操作部材５０が排水弁装置２８に接続されている。
【００３３】
なお、本発明の一実施形態ではレバーで稼働する手動操作ユニット３８を備えた洗浄水タンク装置４を示したが、押しボタン式で稼働するものでもよい。また、自動洗浄のみを行うものにおいては、手動操作ユニット３８を具備していなくともよい。
【００３４】
また、給水装置２６は、外部の給水源（図示せず）に接続され且つ貯水タンク６の底部から上方に延びるように設けられた給水管３０と、この給水管３０の上端部に取り付けられ、給水管３０から給水される洗浄水の貯水タンク６内への吐水と止水を切り替える給水バルブ３２と、貯水タンク６内の水位の変動に応じて上下動して給水バルブ３２による吐水と止水を切り替えるフロート３４とを備えている。
【００３５】
給水装置２６は、給水バルブ３２を通過した洗浄水が吐水口（図示せず）から貯水タンク６内に吐水されるようになっている。また、排水弁装置２８により、貯水タンク６内の洗浄水が便器に排水されると、洗浄水の水位が低下してフロート３４が下降し、それにより給水バルブ３２が開き、吐水口からの吐水が開始され、貯水タンク６の外部の給水源（図示せず）から貯水タンク６内への吐水が開始されるようになっている。さらに、吐水が継続されて貯水タンク６内の水位が上昇すると、フロート３４が上昇し、それにより給水バルブ３２が閉鎖され、吐水口からの吐水が止水されるようになっている。これにより、貯水タンク６内の洗浄水の水位が満水時の所定水位（ＷＬ１）に維持されるようになっている。
【００３６】
また、給水装置２６は、リフィール管（補給水供給手段）３６を備えており、このリフィール管３６からの洗浄水が、オーバーフロー管５８内に直接流れ込み、便器本体２の導水路２０を経て補給水としてボウル部１２内に供給されることができるようになっている。
【００３７】
つぎに、本発明の一実施形態による排水弁装置２８の基本的な構造について図２を参照しながら説明する。図２に示すように、洗浄水タンク装置４は、貯水タンク部６内に設けられて貯水タンク部６を正面側から見て左右方向の中心に配置された排水弁装置２８を備えている。この排水弁装置２８は、貯水タンク部６の底部において正面側から見て左右方向の中心に上下方向に貫くように形成された排水口１０を開閉する排水弁体４０を備えており、排水弁体４０が上下動することにより排水口１０を開閉する、いわゆる直動式の排水弁装置である。
【００３８】
排水弁装置２８は、排水弁装置２８の外観を形成するケーシング４１と、このケーシング４１の内部を上下方向に移動して貯水タンク６の排水口１０を開閉する排水弁体４０と、このケーシング４１の外部からの操作により排水弁体４０を上方に引上げることことによって、排水弁装置２８を開閉させる。
【００３９】
排水弁装置２８は、さらに、このケーシング４１の側方において、上下方向に延びるオーバーフロー管５８を備えている。オーバーフロー管５８は、このオーバーフロー管５８
内の下流側端部が、排水弁体４０の下方の排水口１０と連通するようになっている。オーバーフロー管５８は、貯水タンク６内の洗浄水がオーバーフロー管５８の上端位置に相当する高さの水位（ＷＬ１）を超えた場合に排水弁装置２８へ流出させることができる。
【００４０】
なお、図示は省略するが、オーバーフロー管５８の上方の端部は開口しており、開口面は筒状に形成され、オーバーフロー管の外周壁と内周壁との間には所定の厚みを有するものである。
【００４１】
つぎに、図２及び図３に示す駆動ユニット４２について説明する。
洗浄水タンク装置４は、この排水弁装置２８を駆動して排水弁体４０の開閉動作を自動的に行う自動洗浄用の駆動ユニット４２を備えている。この駆動ユニット４２は、排水弁装置２８を電動駆動するモータ（図示せず）等を内蔵する電動駆動部５２と、モータの駆動によって排水弁装置２８の排水弁体４０の引き上げ操作を行う操作部５４と、を具備している。さらに、駆動ユニット４２は、排水弁装置２８と操作部５４とを接続して電動駆動部５２の駆動により排水弁体４０の開閉動作を操作する細長状の電動操作用の操作部材５６を備えている。また、駆動ユニット４２の電動駆動部５２は回転軸６０を有し、回転軸６０の軸線上（Ａ１−Ａ２）において、電動駆動部５２と操作部５４とは並列に配置されている。
【００４２】
駆動ユニット４２は、便器の使用者を検知したセンサ等からの信号（又はセンサ等からの信号を受信した制御部から発信される制御信号）に基づいて電気的に駆動されるモータにより操作部材５６を介して排水弁装置２８を作動させる。
なお、駆動ユニット４２は、壁付けのリモコン等（図示せず）からの信号（又はセンサ等からの信号を受信した制御部から発信される制御信号）に基づいて電気的に駆動されたモータによりワイヤ引上げを行うものであるが、これに限らず様々なトリガによって駆動を行うものでよい。
【００４３】
図４及び図５は、本発明の一実施形態における排水弁装置２８に駆動ユニット４２を固定した状態を示し、図４は正面視における部分断面図であり、図５は側面視における部分断面図である。
【００４４】
図４に示すように、駆動ユニット４２は固定部材６２によってオーバーフロー管５８よりも上方に設置されており、固定部材６２は、駆動ユニット４２と固定される本体部６４と、オーバーフロー管５８に取り付けられるキャップ部６６と、固定部材６２から下方に延在し、貯水タンク６の底面（図４及び図５における点線）に当接する支持部６８とを備える。
【００４５】
まず、駆動ユニット４２は本体部６４に取り付けられており、本体部６４は底面が平坦となるように形成され、この平坦に形成された底面に駆動ユニット４２が載置されている。さらに、電動駆動部５２は回転を行う回転軸６０を有し、この回転軸６０は本体部６２の側面に形成された開口に挿通され、外部から固定ナットによって本体部に固定されている。
【００４６】
なお、本発明の一実施形態においては、上記のように固定したが、これに限定されるものではなく、例えばボルト等によって駆動ユニット４２と本体部６４とを固定してもよい。
【００４７】
さらに、本体部６４には、オーバーフロー管５８に取り付けるためのキャップ部６６が一体的に形成されている。キャップ部６６はオーバーフロー管５８の開口を形成する上端と当接するように開口全周に設けられており、さらに、キャップ部６６はオーバーフロー管５８の周縁とも当接している。ここで、「上端」とはオーバーフロー管５８の最も上部の開口端部の上向き面を指し、「周縁」とは、上端近傍のオーバーフロー管５８外方の側壁面全周をさすものである。すなわち、キャップ部６６はオーバーフロー管５８の開口を覆うようにキャップ状（蓋状）に設けられ、これにより、上端と周縁の２つの面から駆動ユニット４２を確実に支持することができる。
【００４８】
また、本体部６４には、駆動ユニット４２を貯水タンク６の底面によって支持するための支持部６８が設けられている。支持部６８は、本体部６２の平坦に形成された底面から下方に延在し、その下端が貯水タンク６の底面に当接するように設けられている。
【００４９】
ここで、オーバーフロー管５８は排水弁装置２８の外観を形成するケーシング４１の側方に位置するように設けられており、オーバーフロー管５８に駆動ユニット４２の重量がかかると、排水口１０を基点に排水弁装置２８にモーメントが生じてしまう（排水弁装置２８が回動する方向に負荷がかかってしまう）。これにより、排水弁装置２８のシール性能に影響を及ぼしてしまうおそれがある。
【００５０】
しかしながら、本発明の一実施形態によれば、支持部６８が駆動ユニット４２を貯水タンク６の底面によって支持しているため、排水弁装置２８のシール性能に影響を与えることなく、オーバーフロー管５８の上方に駆動ユニット４２を設置することができる。なお、本実施形態においては、貯水タンク６の底面と支持部６８とが当接する形態について説明したが、例えば、本体部６４の側面から支持部６８が延在し、貯水タンク６の側壁面と当接する形態とすることも好ましい。
【００５１】
このように、本発明の一実施形態によれば、本体部６４に形成されたキャップ部６６及び支持部６８によって、オーバーフロー管５８よりも上方に駆動ユニット４２を設けることが可能となり、タンク形状によって満水時の水位（ＷＬ１）が変化したとしても駆動ユニットの水没を抑制することができる。また、貯水タンク６の内部に駆動ユニット４２を配置しているため、電動操作用の操作部材５６の長さを短くすることが可能となり、排水弁体４０の操作性能を向上させることができる。
【００５２】
つぎに、支持部６８は、本体部６４において、電動駆動部５２が配置された部分に対応する底面（電動駆動部５２の直下）から下方に延在するように形成されている。すなわち、支持部６８は電動駆動部５２を貯水タンク６の底面から支持するように構成されている。駆動ユニット４２は、一般的には、モータを含む電動駆動部５２が最も重量が大きくなるが、この部分に支持部６８が設けられているため、排水弁装置２８に発生するモーメントにより、排水弁装置２８のシール性能に影響を与えることを抑制することができる。
【００５３】
また、支持部６８は２部品で構成されることが好ましい。すなわち、支持部６８を雄ねじ部６８ａ、雌ねじ部６８ｂとして構成し、これにより支持部６８の長さを調整することで、タンク形状によって満水時の水位（ＷＬ１）が変化したとしても、貯水タンク６の底面から駆動ユニット４２を支持することができる。なお、本実施形態ではねじ式によって長さを調整することとしたが、これに限るものではなく、また支持部６８を１部品として構成してもよい。
【００５４】
つぎに、図４及び図５に示すように、駆動ユニット４２の操作部５４はオーバーフロー管５８の開口の上方（オーバーフロー管５８の開口の直上）に位置するように配置されている。これにより、操作部５４をより排水弁体４０側に近接して配置することができるため、排水弁体４０の操作性能を向上させることができる。
【００５５】
また、キャップ部６６には、リフィール管（補給水供給手段）３６をオーバーフロー管５８の内部に誘導するための補給水誘導部７０が設けられている。補給水誘導部７０は、リフィール管３６と接続される接続部７２と、接続部７２と連通してオーバーフロー管５８の内部に補給水を供給する開口（図示せず）が設けられている。このため、キャップ部６６がオーバーフロー管５８の開口を覆うように設けられていても、リフィール管（補給水供給手段）３６をオーバーフロー管５８の内部に供給することができる。
【００５６】
以上、本発明の実施形態を詳述したがこれはあくまで一例示であり、本発明はその趣旨を逸脱しない範囲において種々変更を加えた形態で構成可能である。
【符号の説明】
【００５７】
１      水洗大便器
２      便器本体
４      洗浄水タンク装置
６      貯水タンク（洗浄水タンク）
８      蓋
１０    排水口（排水流路）
１２    ボウル部
１４    リム部
１６    排水トラップ管路
１６ａ  入口
２０    導水路
２２    第１リム吐水口
２４    第２リム吐水口
２６    給水装置
２８    排水弁装置
３０    給水管
３２    給水バルブ
３４    フロート
３６    リフィール管（補給水供給手段）
３８    手動操作ユニット
４０    排水弁体
４１    ケーシング
４２    駆動ユニット
４６    手動用操作レバー
４８    回転機構ユニット
５０    操作部材（手動操作用）
５２    電動駆動部
５４    操作部
５６    操作部材（電動操作用）
５８    オーバーフロー管
６０    回転軸
６２    固定部材
６４    本体部
６６    キャップ部
６８    支持部
６８ａ  雄ねじ部
６８ｂ  雌ネジ部
７０    補給水誘導部
７２    接続部
【図１】
2019151965.tif 000003
【図２】
2019151965.tif 000004
【図３】
2019151965.tif 000005
【図４】
2019151965.tif 000006
【図５】
2019151965.tif 000007